【誤訳訂正書】
【提出日】平成19年7月13日(2007.7.13)
【誤訳訂正１】
【訂正対象書類名】特許請求の範囲
【訂正対象項目名】全文
【訂正方法】変更
【訂正の内容】
【特許請求の範囲】
【請求項１】
複数の可動光トラップを形成する方法であって、
集光されたエネルギービームを発生し、
前記集光されたエネルギービームを、エンコードされた仮想レンズを有する位相パターニング光学素子に導いて複数のビームレットを形成し、
前記ビームレットを前記位相パターニング光学素子で収束させ、
前記ビームレットを単一のトランスファーレンズに通して、フォーカスレンズの後ろの開口部で前記ビームレットを重ね、
前記フォーカスレンズから発する前記ビームレットを収束させて複数の光トラップを形成することを包含する方法。
【請求項２】
前記複数のビームレットは前記位相パターニング光学素子から発しており、各ビームレットは、前記位相パターニング光学素子の前記仮想レンズにより変更させられる位相プロファイルを有する請求項１に記載の方法。
【請求項３】
前記方法は、前記位相パターニング光学素子から発する少なくとも一つのビームレットの収束を変更して、少なくとも一つの光トラップの配置を変えることをさらに包含する請求項１から２いずれかに記載の方法。
【請求項４】
前記方法は、光ピンセット、オプティカルボルテックス、オプティカルボトル、オプティカルローテータ、および光ケージから選択される光トラップの２つ以上の異なる種類を形成することをさらに包含する請求項１から３いずれかに記載の方法。
【請求項５】
前記方法は、前記位相パターニング光学素子で、前記ビームレットのうちの少なくとも一つの前記位相プロファイルを変化させることをさらに包含する請求項１から４いずれかに記載の方法。
【請求項６】
前記フォーカスレンズの後ろの開口部で前記ビームレットを重ねる前に、前記位相パターニング光学素子から発する前記ビームレットを一つのグループとして可動ミラーで操縦することをさらに包含する請求項１から５いずれかに記載の方法。
【請求項７】
前記集光されたエネルギービームは電磁波エネルギーである請求項１から６いずれかに記載の方法。
【請求項８】
前記集光されたエネルギービームは集光された光ビームである請求項１から７いずれかに記載の方法。
【請求項９】
少なくとも２つの光トラップを生成する装置であって、
集光された光ビームを受け取り、それを、それぞれが位相プロファイルを有する少なくとも２つのビームレットに回折する位相パターニング光学素子と、
前記位相パターニング光学素子から発する各ビームレットを前記位相パターニング光学素子と単一のトランスファーレンズとの間の位置で収束させる、前記位相パターニング光学素子内にエンコードされた仮想レンズと、
前記位相パターニング光学素子から発する前記ビームレットを導いてフォーカスレンズの後ろの開口部で前記ビームレットを重ねる前記単一のトランスファーレンズと、
前記トランスファーレンズから発する各ビームレットを収束させて前記光トラップを形成する前記フォーカスレンズと、
前記フォーカスレンズの後ろの開口部で前記ビームレットを重ねる、前記位相パターニング光学素子と前記フォーカスレンズとの間の単一のトランスファーレンズと
を備えている装置。
【請求項１０】
前記単一のトランスファーレンズは可動である請求項９に記載の装置。
【請求項１１】
前記位相パターニング光学素子は静的な表面を有している請求項９若しくは１０に記載の装置。
【請求項１２】
前記静的な表面は、当該静的な表面の中の異なる部分で前記光ビームを受けるように再配置可能である請求項１１に記載の装置。
【請求項１３】
前記静的な表面は２つ以上の不連続な、不均質の領域からなる請求項１１若しくは１２に記載の装置。
【請求項１４】
前記静的な表面は実質的に連続的に変化している請求項１１若しくは１２に記載の装置。
【請求項１５】
前記位相パターニング光学素子は、格子、回折格子、反射格子、透過格子、ホログラム、ステンシル、光整形ホログラフィックフィルタ、多色ホログラム、レンズ、ミラー、プリズム、波長板およびホログラムからなる群の少なくとも一つから選択されている請求項９から１４のいずれかに記載の装置。
【請求項１６】
前記位相パターニング光学素子は動的である請求項９から１０のいずれかに記載の装置。
【請求項１７】
前記エンコードされた仮想レンズを選択的に変えることは、それから発するビームレットの数を変化させる請求項１６に記載の装置。
【請求項１８】
前記エンコードされた仮想レンズを選択的に変えることは、それから発する前記ビームレットのうちの少なくとも一つの収束位置を変化させる請求項１６若しくは１７に記載の装置。
【請求項１９】
前記位相パターニング光学素子を選択的に変えることは、それから発する前記ビームレットのうちの少なくとも一つの前記位相プロファイルを変化させる請求項１６から１８のいずれかに記載の装置。
【請求項２０】
微小粒子を操作するための複数の光トラップを生成するシステムであって、
複数の微小粒子と、
集光された光ビームを生成する光源と、
集光された光ビームと、
前記集光された光ビームを受け取って、それを、それぞれが位相プロファイルを有する少なくとも２つのビームレットに回折する位相パターニング光学素子と、
前記位相パターニング光学素子を選択的に変化させるコンピュータと、
前記位相パターニング光学素子から発する各ビームレットを前記位相パターニング光学素子と単一のトランスファーレンズとの間の位置で収束させる、前記位相パターニング光学素子内にエンコードされた仮想レンズと、
前記位相パターニング光学素子と、各ビームレットが通過するフォーカスレンズとの間に配置された前記単一のトランスファーレンズであって、各ビームレットは前記フォーカスレンズの後ろの開口部で重ねられるような単一のトランスファーレンズと、
それぞれが複数の微小粒子のうちの一つを操作することが可能である少なくとも２つの光トラップを形成するように、前記トランスファーレンズから発する各ビームレットを収束させる前記フォーカスレンズと
を備えているシステム。
【請求項２１】
前記位相パターニング光学素子は、コンピュータで生成された可変回折パターン、可変位相シフト材料、可変液晶位相シフトアレイ、マイクロミラーアレイ、ピストンモードマイクロミラーアレイ、空間光変調器、電子光学偏向器、音響光学変調器、変形可能ミラーおよび反射ＭＥＭＳアレイからなる群のうちの少なくとも一つから選択されている請求項２０に記載のシステム。
【請求項２２】
前記位相パターニング光学素子を選択的に変えるためのコンピュータをさらに備えている請求項２０若しくは２１に記載のシステム。
【請求項２３】
前記複数の微小粒子の少なくともいくつかは、生物学的な材料である請求項２０から２２のいずれかに記載のシステム。
【請求項２４】
前記ビームレットを前記フォーカスレンズの後ろの開口部で重ねる前に、前記位相パターニング光学素子から発する前記ビームレットを一つのグループとして操縦するための可動ミラーをさらに備えている請求項２０から２２のいずれかに記載のシステム。
【請求項２５】
前記単一のレンズから下流で前記フォーカスレンズより前に望遠鏡レンズ系をさらに備えている請求項２０から２４のいずれかに記載のシステム。
【請求項２６】
前記方法は、ビームスプリッタの表面で前記ビームレットを重ね、ビームレットの２つのストリームを生成し、前記ビームスプリッタはビームレットの第一のストリームをフォーカスレンズの後ろの開口部に反射し、ビームレットの第二のストリームを反射して光学データストリームを形成することを更に包含する請求項１から８のいずれかに記載の方法。
【請求項２７】
前記方法は、前記光学データストリームをビデオ信号に変換することをさらに包含する請求項２６に記載の方法。
【請求項２８】
前記方法は、前記光学データストリームのスペクトルを得て解析することをさらに包含する請求項２６に記載の方法。
【請求項２９】
前記方法は、前記光学データストリームをコンピュータで受け取ることをさらに包含する請求項２６若しくは２８に記載の方法。
【請求項３０】
前記方法は、前記光学データストリームの解析されたスペクトルに応じて、少なくとも一つの光トラップの配置を変化させることをさらに包含する請求項２６若しくは２８に記載の方法。
【請求項３１】
前記方法は、前記ビデオ信号に応じて、少なくとも一つの光トラップの配置を変化させることをさらに包含する請求項２７に記載の方法。
【請求項３２】
前記方法は、前記光学データストリームから光の予め選択された波長以外の全てを除去することをさらに包含する請求項２６に記載の方法。
【請求項３３】
前記方法は、前記光学データストリームから、１つ以上の予め選択された光の波長を除去することをさらに包含する請求項２６に記載の方法。
【請求項３４】
前記方法は、前記集光された光ビームが発生されていないときには前記光学データストリームがブロックされ、前記集光された光ビームが発生されているときには前記光学データストリームはブロックされないように、前記集光された光ビームを選択的に発生し、前記光学データストリームを選択的にブロックしたり、ブロックしなかったりすることをさらに包含する請求項２６に記載の方法。
【請求項３５】
前記方法は、
前記位相パターニング光学素子から発する前記ビームレットが前記ビームスプリッタに通ることを選択的にブロックしたり、ブロックしなかったりし、
前記ビームレットをブロックするときに、前記光学データストリームを選択的にモニタすることをさらに包含する請求項２６に記載の方法。
【請求項３６】
前記可動ミラーと前記フォーカスレンズとの間に配置された望遠鏡レンズシステムをさらに備える請求項１から９のいずれかに記載の装置。
【請求項３７】
前記単一のトランスファーレンズから発する前記ビームレットを受け取ってビームレットの２つのストリームを作り出し、そしてビームレットの第一のストリームをフォーカスレンズの後ろの開口部に反射し、ビームレットの第二のストリームを光学データストリームを形成するように反射するビームスプリッタと、
前記ビームスプリッタから発する各ビームレットを収束させて少なくとも２つの光トラップを形成する前記フォーカスレンズと
を更に備える請求項９から１９のいずれかに記載の装置。
【請求項３８】
前記光トラップは、前記単一のトランスファーレンズの動きに対応して動く請求項１１に記載の装置。
【請求項３９】
前記光学データストリームをモニタする為のモニタを更に備える請求項３７に記載の装置。
【請求項４０】
前記光学データストリームがデジタルデータストリームに変換される請求項３７若しくは３９に記載の装置。
【請求項４１】
前記光学データストリームのスペクトルを生成する分光計をさらに備えている請求項３７、３９若しくは４０に記載の装置。
【請求項４２】
前記光学データストリームをデジタルデータストリームに変換することによってデジタルデータストリームを受け取るコンピュータをさらに備えている請求項３７に記載の装置。
【請求項４３】
前記光学データストリームを受け取ってデジタルデータストリームに処理し、前記光学データストリームにおける情報に基づいて前記光トラップの少なくとも一つの配置を変化させるコンピュータをさらに備えている請求項３７に記載の装置。
【請求項４４】
前記フォーカスレンズの後ろの開口部で前記ビームレットを重ねる前に、可動ミラーに、前記位相パターニング光学素子から発する前記ビームレットを一つのグループとして操縦させるためのコンピュータをさらに備えている請求項２４に記載のシステム。
【請求項４５】
前記光学データストリームを受け取ってデジタルデータストリームに処理し、前記光学データストリームにおける情報に基づいて前記光トラップの少なくとも一つの配置を変化させるコンピュータと、
前記フォーカスレンズの後ろの開口部で前記ビームレットを重ねる前に、可動ミラーに、前記位相パターニング光学素子から発する前記ビームレットを一つのグループとして操縦させるためのコンピュータと
を更に備える請求項９から１９のいずれかに記載の装置。
【請求項４６】
前記光学データストリームの通路内に配置された偏光フィルタあるいはバンドパスフィルタをさらに備えている請求項３７に記載の装置。
【請求項４７】
前記集光された光ビームがオンであるときには前記光学データストリームを選択的にブロックし、前記集光された光ビームがオフであるときには前記光学データストリームをブロックしないシャッタをさらに備えている請求項３７に記載の装置。
【請求項４８】
前記光学データストリームがモニタされているときには前記集光された光ビームを選択的にブロックするシャッタをさらに備えている請求項３７に記載の装置。
【請求項４９】
集光された光ビームを生成する前記光源はレーザであり、前記集光された光ビームはレーザビームである請求項９から１９のいずれかに記載の装置。
【請求項５０】
集光された光ビームを生成する前記光源はレーザであり、前記集光された光ビームはレーザビームである請求項２０から２５のいずれかに記載のシステム。
【請求項５１】
前記光学データストリームがモニタされているときには前記レーザビームを選択的にブロックする第一のシャッタと、
前記レーザビームがオンであるときに前記光学データストリームを選択的にブロックし、前記レーザビームがオフである時に前記光学データストリームをブロックしない第二のシャッタと
をさらに備えている請求項３７に記載の装置。
【請求項５２】
前記集光されたエネルギーの単一のビームの源は、固体レーザ、ダイオード励起レーザ、ガスレーザ、色素レーザ、アレキサンドライトレーザ、自由電子レーザ、ＶＣＳＥＬレーザ、ダイオードレーザ、Ｔｉ−サファイアレーザ、ドープＹＡＧレーザ、ドープＹＬＦレーザ、ダイオード励起ＹＡＧレーザ、フラッシュランプ励起ＹＡＧレーザ、発光ダイオードおよび一体化された平行化素子を有する発光ダイオードからなる群から選択されている請求項９に記載の装置。
【請求項５３】
前記集光されたエネルギーの単一のビームの源は、固体レーザ、ダイオード励起レーザ、ガスレーザ、色素レーザ、アレキサンドライトレーザ、自由電子レーザ、ＶＣＳＥＬレーザ、ダイオードレーザ、Ｔｉ−サファイアレーザ、ドープＹＡＧレーザ、ドープＹＬＦレーザ、ダイオード励起ＹＡＧレーザ、フラッシュランプ励起ＹＡＧレーザ、発光ダイオードおよび一体化された平行化素子を有する発光ダイオードからなる群から選択されている請求項２０に記載のシステム。
【請求項５４】
各光トラップは、光ピンセット、オプティカルボルテックス、オプティカルボトル、オプティカルローテータ、および光ケージからなる群から選択される請求項９に記載の装置。
【請求項５５】
各光トラップは、光ピンセット、オプティカルボルテックス、オプティカルボトル、オプティカルローテータ、および光ケージからなる群から選択される請求項２０に記載のシステム。
【誤訳訂正２】
【訂正対象書類名】明細書
【訂正対象項目名】全文
【訂正方法】変更
【訂正の内容】
【発明の詳細な説明】
【発明の名称】光勾配力を印加する改良された装置、システムおよび方法
【技術分野】
【０００１】
本発明は、光トラップに関する。特に本発明は、微小粒子を操作するための複数の光トラップを形成するように光勾配力を印加する装置、システムおよび方法に関する。
【背景技術】
【０００２】
本出願を通じて、さまざまな出版物を参照している。本発明に関連する技術の状態をより十分に説明するために、ここで本出願においてこれらの出版物の開示を全体的に援用する。
【０００３】
光ピンセットは、集光された光ビームの勾配力を用いて、周囲の媒体よりも高い誘電率をもつ粒子を操作する光学的なツールである。そのエネルギーを最小にするために、このような粒子を電界が最も高い領域に動かす。モーメントに関して述べると、集光された光ビームは放射圧を発生し、粒子による光の吸収、反射、回折あるいは屈折によって微小な力を生じる。放射圧によって生じる力はほとんど無視してよい・・・１０ｍＷで動作するダイオード励起Ｎｄ：ＹＡＧレーザのような光源は数ピコニュートンを生じさせるだけである。しかしながら、数ピコニュートンの力は微小粒子を操作するには十分である。
【０００４】
微小粒子を操作するために用いることができる他の光学的なツールには、オプティカルボルテックス（vortex）、オプティカルボトル（optical bottle）、オプティカルローテータ（optical rotator）、光ケージ等があるが、これらには限られない。オプティカルボルテックスは光ピンセットと使用法は類似しているが、反対の原理で動作する。オプティカルボルテックスはゼロ電界の領域を取り巻いて勾配を生成し、これが周囲の媒体よりも低い誘電率の粒子、あるいは反射性の粒子または光ピンセットを撥ね付ける他のタイプの粒子を操作するのに役立つ。そのエネルギーを最小にするために、このような粒子を電界が最も低い領域、すなわち、ほぼ整形されたレーザビームの焦点におけるゼロ電界領域に動かす。オプティカルボルテックスは、ドーナツ（トロイド）の中の穴のようなゼロ電界の領域を提供する。光勾配は放射状であり、ドーナツの円周において最も高い電界をもつ。オプティカルボルテックスは微小粒子をドーナツの穴の内部に拘束する。この拘束は、ボルテックスをゼロ電界の線に沿って微小粒子の上を滑らせることによって実現される。
【０００５】
オプティカルボトルは、焦点においてのみゼロ電界をもち、ボルテックスの端部ではゼロではない電界をもつという点でオプティカルボルテックスとは異なっている。オプティカルボトルは、オプティカルボルテックスまたは光ピンセットでトラップするには小さすぎる、あるいは吸収的すぎるような原子およびナノクラスタをトラップするのに有用である。ジェイ  アールト  及びエム  ジェイ  パジェット「高輝度領域に囲われた暗焦点を伴うビームの発生・光学ボトルビーム」オプティカルレター  ２５、１９１−１９３ページ。２０００年（非特許文献１）。
【０００６】
オプティカルローテータは近年説明されている光学式のツールであり、物体をトラップするスパイラルアームのパターンを提供する。パターンを変えることによって、トラップされた物体を回転させる。エル  パターソン、エムピー  マクドナルド、ジェイ  アールト、ダブリュ  シベット、ピーイー  ブライアンド、及びケイ  ドラリア  「光学的にトラップされた微細粒子の制御された回転」サイエンス  ２９２巻、９１２−９１４ペイジ。２００１年（非特許文献２）。このクラスのツールは、非球体の粒子を操作し、ＭＥＭＳ装置あるいはナノマシンを駆動するのに有用である。
【０００７】
光ケージは、ニールによって米国特許第５，９３９，７１６号（特許文献１）に記載されているが、大雑把には、オプティカルボルテックスの巨視的ないとこである。光ケージは、オプティカルボルテックスのリングを形成して、大きすぎる、あるいは反射性がありすぎる、あるいは周囲の媒体よりも低い誘電率をもつ粒子を取り囲む。オプティカルボルテックスがドーナツのようであるとしたら、光ケージはゼリー入りのドーナツのようである。（ボルテックスに関して）ドーナツの穴がゼロ電界の領域であるのに対して、ゼリーフィルは電界が低い領域である。一般的には、ドーナツを形成する複数の光ピンセットの勾配力が、周囲の媒体よりも低い誘電率の粒子を、複数の光ピンセットの間に位置するより明るくない領域とも考えられるゼリーに向けて「押す」。しかしながら、ボルテックスとは違って、ゼロでない電界の領域が生成される。
【０００８】
集光されている複数の回折レーザビームを形成して光トラップのアレイを形成するのに回折光学素子とともにレーザ光の単一ビームを用いることが、この分野では知られている。グライアーおよびダフレスに付与された米国特許第６，０５５，１０６号（特許文献２）は光トラップのアレイを記載している。この特許は、回折されたレーザビームをフォーカスレンズの後ろの開口部へ導くために物理的なトランスファーレンズを用いることを教示している。複数の物理的なレンズが、レーザビームを導いて、少なくとも約０．８の実効開口数（ＮＡ）を得るような十分な重なりでフォーカスレンズの後ろの開口部に重ねるのに使用される。この実効開口数は、チュウおよびクロニスに付与された米国特許第５，０７９，１６９号（特許文献３）に教示されているように、三次元で粒子をトラップし、操作するのに必要である最小のＮＡであると考えられる。米国特許第６，０５５，１０６号（特許文献２）に記載されている装置の欠点は、各レンズはその内部で動作する物理的なスペースをかなり大きく必要とし、かつ各レンズは、整備され、清掃され、そして配列されていなければならないということである。トランスファーレンズ系に詳しい人は、システム内のレンズの数が増えると、配列のずれや他の整備の問題の機会も増えるということを理解するであろう。したがって、光トラップの配列を形成するのに用いられるトランスファーレンズ系におけるレンズの数を減らす必要がある。本発明はこの必要を満たす。
【０００９】
米国特許第６，０５５，１０６号（特許文献２）に記載されている光トラップの活動を監視するための共通の手法は、ビームスプリッタをレーザビームの進路に置いて、それによって光学的なデータストリームを作り出すことである。この手法の一つの制限は、雑音が光学データストリームにもたらす悪影響である。光トラップに関して、雑音とは、システム内に光またはエネルギーの回折されていない集光されたビーム、光トラップから発する光、および物理的トランスファーレンズシステムにおけるレンズの欠陥、ほこり、塵かずれによってレンズから反射あるいは回折した光が存在することに起因する、光トラップ、それらの内容物あるいは周囲の領域の結像、測定および／あるいは観察との干渉を指している。米国特許第６，０５５，１０６号（特許文献２）に教示されているように、雑音を減らす一つの方法は、回折素子に対して斜めの角度でレーザビームを導き、それにより、回折されなかったビームを対物レンズから離すようにすることである。その意図された目的には有用であるが、他の雑音のもとが残っている。回折されていないレーザビームや光トラップのアレイを作り出すシステムの構成要素から散乱・反射されるレーザ光によって生じる雑音を減らす、あるいはなくす必要がある。本発明は、この必要および他の必要をも満足し、関連する利点を提供する。
【非特許文献１】ジェイ  アールト  及びエム  ジェイ  パジェット「高輝度領域に囲われた暗焦点を伴うビームの発生・光学ボトルビーム」オプティカルレター  ２５、１９１−１９３ページ。２０００年。
【非特許文献２】エル  パターソン、エムピー  マクドナルド、ジェイ  アールト、ダブリュ  シベット、ピーイー  ブライアンド、及びケイ  ドラリア  「光学的にトラップされた微細粒子の制御された回転」サイエンス  ２９２巻、９１２−９１４ペイジ。２００１年。
【特許文献１】米国特許第５，９３９，７１６号
【特許文献２】米国特許第６，０５５，１０６号
【特許文献３】米国特許第５，０７９，１６９号
【発明の開示】
【発明が解決しようとする課題】
【００１０】
そこで本発明は、上記の課題を解決することのできる「発明の主題」を提供することを目的とする。この目的は特許請求の範囲における独立項に記載の特徴の組み合わせにより達成される。また従属項は本発明の更なる有利な具体例を規定する。
【課題を解決するための手段】
【００１１】
本発明は、単一の物理的トランスファーレンズを使用している光トラップアレイを生成し、モニタし、制御するための新規かつ改良された方法、システムおよび装置を提供する。発明はまた、システム内の散乱光、非回折光、反射光が引き起こす「雑音」を除去する、あるいはシャッターで除く光トラップのモニタリングおよび制御を改良する。
【００１２】
複数のトランスファーレンズは、複数の光トラップを生成するシステムにおいては、レンズ機能を回折光学素子にエンコードすることによってなくすか減らされる。回折光学素子はまた、ビームのいずれの位相をも変える。複数のビームを収束するように回折光学素子をエンコードすることによって、発明は、対物レンズの後ろの開口部に複数のビームを移動して重ね、それを通して光トラップを形成するために単一の物理的トランスファーレンズを用いるのに有利な状況を作り出す。
【００１３】
基本的な形態では、発明（図１Ａ）は、エンコードされたレンズ機能を有する回折光学素子によって回折された単一のレーザビームのような集光された光またはエネルギーのビームである。このレーザビームは複数のビームに回折され、それぞれのビームはまた、回折素子によって収束されて、それから単一のトランスファーレンズに導かれる。単一のトランスファーレンズはこれらの複数のビームを（顕微鏡の対物レンズのような）フォーカスレンズの後ろの開口部に導いて重ね、それによって複数の光トラップを形成する。任意の光トラップの位置を変えるために、そのトラップを形成するビームは、回折光学素子を介して新しい位置に操縦されてもよく、それによって、それに起因する光トラップの位置を変える。全ての光トラップの位置を一体として同時に変えるために可動ミラーを付加してもよい（図１Ｄ、１Ｅ、２および４）。いくつかの場合には、任意の光トラップの位置を変えるために、単一のトランスファーレンズの動きも望ましいことがある。
【００１４】
単一のレンズトランスファーシステムを有する光トラップのアレイの選択的な生成および制御は、例えば光学回路の設計および製造、ナノ複合材料の構築、電子部品の製造、オプトエレクトロニクス、化学的および生物学的なセンサアレイ、ホログラフィックデータストレージマトリクスの組み立て、ＭＥＭＳを駆動するエネルギー源あるいは光学的モータ、コンビトナリアルケミストリーの促進、コロイドの自己組織化の促進、生物学的材料の問い合わせ、選択された生物学的材料の濃縮、生物学的材料の性質の調査および生物学的材料を調べることというような多岐にわたる商業的な応用において有用であり得る。
【００１５】
発明のいくつかの実施形態（図２〜４）においては、フォーカスレンズの前のビームの進路にビームスプリッタを置き、そして回折されていない散乱または反射光の通過を制限するように光学データストリームに沿ってフィルタを導入してこのような雑音を減らすことによって、光トラップアレイの活動をリアルタイムで見ることが可能である。この雑音は、光学データストリームをビデオで、あるいは他の手法でモニタする妨げとなりうる。光トラップアレイ全体の位置を調節するのに有用である可動ミラーをビームスプリッタと組み合わせてもよいし（図２および３）、システムに付加してもよい（図４）。
【００１６】
レーザ光を周期的にシャッタで遮って（図３）、光学データストリームをモニタすることによって、および／あるいはレーザがオンのときに光学データストリームをシャッタで遮ることによって、雑音の減少を実現してもよい。
【００１７】
本発明の他の特徴および利点は、後に続く説明および付随する図面においてある程度は述べられるであろう。これらにおいては、本発明の好ましい実施形態が記載され、示されており、付随する図面と関連して続く詳細な説明を精査すれば当業者に明らかになるであろう。あるいは本発明の実施によって本発明の好ましい実施形態を学ぶかもしれない。本発明の利点は、付随するクレームにおいて具体的に指摘されている手段および組み合わせによって実現され、得られるであろう。
【００１８】
即ち、本発明の第１の形態によると、複数の可動光トラップを形成する方法であって、集光された光ビームを発生し、前記集光された光ビームを、可変光学表面を有する位相パターニング光学素子に導いて、前記位相パターニング光学素子から発する複数のビームレットを形成し、各ビームレットは位相プロファイルを有しており、前記位相パターニング光学素子から発する前記ビームレットを前記位相パターニング光学素子で前記位相パターニング光学素子と単一のトランスファーレンズとの間の位置で収束させ、前記位相パターニング光学素子から発する前記ビームレットを、前記単一のトランスファーレンズに通して、フォーカスレンズの後ろの開口部で前記ビームレットを重ね、前記フォーカスレンズから発する前記ビームレットを収束させて複数の光トラップを形成することを包含することを特徴とする。
【００１９】
前記方法は、前記光学表面を変えることによって前記位相パターニング光学素子から発する少なくとも一つのビームレットの収束位置を変更して、少なくとも一つの光トラップの配置を変えることをさらに包含してもよい。
【００２０】
前記光トラップは、光ピンセット、オプティカルボルテックス、オプティカルボトル、オプティカルローテータ、光ケージ、およびこれらの組み合わせからなる群から選択されてもよい。
前記光学表面を変えることによって前記位相パターニング光学素子から発する前記ビームレットのうちの少なくとも一つの前記位相プロファイルを変化させることをさらに包含してもよい。
前記光トラップで生物学的な材料を操作することをさらに包含してもよい。
【００２１】
前記集光された光ビームはレーザビームであってもよい。前記レーザビームの波長は緑のスペクトルであってもよい。前記レーザビームの波長は約４００ｎｍから約１０６０ｎｍの範囲から選択されてもよい。
前記フォーカスレンズの後ろの開口部で前記ビームレットを重ねる前に、前記位相パターニング光学素子から発する前記ビームレットを一つのグループとして可動ミラーで操縦することをさらに包含してもよい。
【００２２】
本発明の第２の形態によれば、複数の可動光トラップを形成する方法であって、集光されたエネルギービームを発生し、前記集光されたエネルギービームを、可変光学表面を有する位相パターニング光学素子に導いて複数のビームレットを形成し、前記ビームレットを前記位相パターニング光学素子で収束させ、前記ビームレットを単一のトランスファーレンズに通して、フォーカスレンズの後ろの開口部で前記ビームレットを重ね、前記フォーカスレンズから発する前記ビームレットを収束させて複数の光トラップを形成することを包含することを特徴とする。
【００２３】
前記方法は、前記光学表面を変えることによって前記位相パターニング光学素子から発する少なくとも一つのビームレットの収束を変更して、少なくとも一つの光トラップの配置を変えることをさらに包含してもよい。
【００２４】
前記方法は、光ピンセット、オプティカルボルテックス、オプティカルボトル、オプティカルローテータ、および光ケージから選択される光トラップの２つ以上の異なる種類を形成することをさらに包含してもよい。
【００２５】
前記方法は、前記位相パターニング光学素子で、前記ビームレットのうちの少なくとも一つの前記位相プロファイルを変化させることをさらに包含してもよい。
前記集光されたエネルギービームは電磁波エネルギーであってもよい。
【００２６】
本発明の第３の形態によれば、複数の可動光トラップを形成し、モニタする方法であって、集光された光ビームを発生し、前記集光された光ビームを位相パターニング光学素子に導いて、可変光学表面を有する前記位相パターニング光学素子から発する複数のビームレットを形成し、各ビームレットは位相プロファイルを有しており、前記位相パターニング光学素子から発する前記ビームレットを前記位相パターニング光学素子で前記位相パターニング光学素子と単一のトランスファーレンズとの間の位置で収束させ、前記位相パターニング光学素子から発する前記ビームレットを単一のトランスファーレンズに通して、ビームスプリッタの表面で前記ビームレットを重ね、ビームレットの２つのストリームを生成し、前記ビームスプリッタはビームレットの第一のストリームをフォーカスレンズの後ろの開口部に反射し、ビームレットの第二のストリームを反射して光学データストリームを形成し、前記フォーカスレンズから発する前記ビームレットを収束させて複数の光トラップを形成することを包含することを特徴とする。
【００２７】
前記方法は、前記位相パターニング光学素子から発する少なくとも一つのビームレットの収束を変更して、少なくとも一つの光トラップの配置を変化させることをさらに包含してもよい。
【００２８】
前記方法は、光ピンセット、オプティカルボルテックス、オプティカルボトル、オプティカルローテータ、および光ケージからなる群から選択される２つ以上の異なる種類の光トラップを形成することをさらに包含してもよい。
【００２９】
前記方法は、前記ビームレットの少なくとも一つの前記位相プロファイルを前記位相パターニング光学素子で変化させることをさらに包含してもよい。
【００３０】
前記方法は、前記光トラップで生物学的材料を操作することをさらに包含してもよい。前記集光された光ビームはレーザビームであってもよい。前記レーザビームの波長は緑のスペクトルであってもよい。前記単一のレーザビームの波長は約４００ｎｍから約１０６０ｎｍの範囲から選択されてもよい。
【００３１】
前記方法は、前記フォーカスレンズの後ろの開口部で前記ビームレットを重ねる前に、前記位相パターニング光学素子から発する前記ビームレットを一つのグループとして可動ミラーで操縦することをさらに包含してもよい。
【００３２】
前記方法は、前記光学データストリームをビデオ信号に変換することをさらに包含してもよい。前記方法は、前記光学データストリームのスペクトルを得て解析することをさらに包含してもよい。
前記方法は、前記光学データストリームをコンピュータで受け取ることをさらに包含してもよい。前記光学表面を変えることは、コンピュータによって指示されてもよい。
前記方法は、前記光学データストリームの解析された前記スペクトルに応じて、前記光学表面を変えて少なくとも一つの光トラップの配置を変化させることをさらに包含してもよい。
【００３３】
前記方法は、前記ビデオ信号に応じて、前記光学表面を変えて少なくとも一つの光トラップの配置を変化させることをさらに包含してもよい。
【００３４】
前記方法は、前記光学データストリームから光の予め選択された波長以外の全てを除去することをさらに包含してもよい。
前記方法は、前記光学データストリームから、１つ以上の予め選択された光の波長を除去することをさらに包含してもよい。
【００３５】
前記方法は、前記集光された光ビームが発生されていないときには前記光学データストリームがブロックされ、前記集光された光ビームが発生されているときには前記光学データストリームはブロックされないように、前記集光された光ビームを選択的に発生し、前記光学データストリームを選択的にブロックしたり、ブロックしなかったりすることをさらに包含してもよい。
【００３６】
前記方法は、前記位相パターニング光学素子から発する前記ビームレットが前記ビームスプリッタに通ることを選択的にブロックしたり、ブロックしなかったりし、前記ビームレットをブロックするときに、前記光学データストリームを選択的にモニタすることをさらに包含してもよい。
【００３７】
本発明の第４の形態によれば、少なくとも２つの光トラップを生成する装置であって、集光された光ビームを受け取り、それを、それぞれが位相プロファイルを有する少なくとも２つのビームレットに回折する位相パターニング光学素子と、前記位相パターニング光学素子から発する各ビームレットを前記位相パターニング光学素子と単一のトランスファーレンズとの間の位置で収束させる、前記位相パターニング光学素子内にエンコードされた仮想レンズと、前記位相パターニング光学素子から発する前記ビームレットを導いてフォーカスレンズの後ろの開口部で前記ビームレットを重ねる前記単一のトランスファーレンズと、前記トランスファーレンズから発する各ビームレットを収束させて前記光トラップを形成する前記フォーカスレンズと、前記フォーカスレンズの後ろの開口部で前記ビームレットを重ねる、前記位相パターニング光学素子と前記フォーカスレンズとの間の単一のトランスファーレンズとを備えていることを特徴とする。
【００３８】
前記単一のトランスファーレンズは可動であってもよい。前記位相パターニング光学素子は静的な表面を有していてもよい。前記静的な表面は、前記静的な表面の異なる部分を前記光ビームを受けるように並べるために再配置可能であってもよい。前記静的な表面は２つ以上の不連続な、不均質の領域からなってもよい。前記静的な表面は実質的に連続的に変化してもよい。
【００３９】
前記位相パターニング光学素子は、格子、回折格子、反射格子、透過格子、ホログラム、ステンシル、光整形ホログラフィックフィルタ、多色ホログラム、レンズ、ミラー、プリズム、波長板およびホログラムからなる群の少なくとも一つから選択されていてもよい。
前記位相パターニング光学素子は動的であってもよい。前記エンコードされた仮想レンズを選択的に変えることは、それから発するビームレットの数を変化させてもよい。
【００４０】
前記エンコードされた仮想レンズを選択的に変えることは、それから発する前記ビームレットのうちの少なくとも一つの収束位置を変化させてもよい。
前記位相パターニング光学素子を選択的に変えることは、それから発する前記ビームレットのうちの少なくとも一つの前記位相プロファイルを変化させてもよい。
【００４１】
本発明の第５の形態によれば、少なくとも２つの光トラップを生成し、モニタする装置であって、集光された光ビームを受け、それを、それぞれが位相プロファイルを有する少なくとも２つのビームレットに回折する位相パターニング光学素子と、前記位相パターニング光学素子から発する各ビームレットを前記位相パターニング光学素子と単一のトランスファーレンズとの間の位置で収束させる、前記位相パターニング光学素子においてエンコードされた仮想レンズと、前記位相パターニング光学素子から発する前記ビームレットを導いて、ビームスプリッタの表面で重ねる前記単一のトランスファーレンズと、前記単一のトランスファーレンズから発する前記ビームレットを受け取ってビームレットの２つのストリームを作り出し、その後ビームレットの第一のストリームをフォーカスレンズの後ろの開口部に反射し、ビームレットの第二のストリームを光学データストリームを形成するように反射する前記ビームスプリッタと、前記ビームスプリッタから発する各ビームレットを収束させて、少なくとも２つの光トラップを形成する前記フォーカスレンズとを備えていることを特徴とする。
【００４２】
前記単一のトランスファーレンズは可動であってもよい。前記位相パターニング光学素子は静的な表面を有していてもよい。前記静的な表面は、前記光ビームを受けるように前記静的な表面の異なる部分を並べるために再配置可能であってもよい。前記静的な表面は、２つ以上の不連続な、不均質の領域からなってもよい。前記静的な表面は実質的に連続的に変化してもよい。
【００４３】
前記位相パターニング光学素子は、格子、回折格子、反射格子、透過格子、ホログラム、ステンシル、光整形ホログラフィックフィルタ、多色ホログラム、レンズ、ミラー、プリズム、波長板およびホログラムからなる群のうちの少なくとも一つから選択されてもよい。
【００４４】
前記位相パターニング光学素子は動的であってもよい。前記動的な位相パターニング光学素子は選択的に可変であり、それによりそれから発するビームレットの数を変化させることが可能であってもよい。
前記動的な位相パターニング光学素子は選択的に可変であり、それによりそれから発する各別個のビームレットの収束位置を変化させることが可能であってもよい。
前記動的な位相パターニング光学素子は選択的に変えることが可能であり、それによりそれから発する各別個のビームレットの前記位相プロファイルを変化させることが可能であってもよい。
【００４５】
前記位相パターニング光学素子は、コンピュータにより生成された可変回折パターン、可変位相シフト材料、可変液晶位相シフトアレイ、マイクロミラーアレイ、ピストンモードマイクロミラーアレイ、空間光変調器、電子光学偏向器、音響光学変調器、変形可能ミラーおよび反射ＭＥＭＳアレイからなる群のうちの少なくとも一つから選択されていてもよい。
【００４６】
前記ビームスプリッタは、静止している全方向ミラー、静止している光バンドギャップミラー、静止しているダイクロイックミラー、可動全方向ミラー、可動光バンドギャップミラー、および可動ダイクロイックミラーからなる群のうちの少なくとも一つから選択されていてもよい。
【００４７】
前記トランスファーレンズの上流に配置されており、前記ビームレットを前記フォーカスレンズの後ろの開口部で重ねる前に、前記位相パターニング光学素子から発する前記ビームレットを一つのグループとして操縦する可動ミラーをさらに備えていてもよい。
前記可動ミラーと前記フォーカスレンズとの間に望遠鏡レンズシステムをさらに備えていてもよい。
【００４８】
本発明の第６の形態によれば、複数の光トラップを生成し、モニタする装置であって、単一のレーザビームを受け取って、それを、それぞれが位相プロファイルを有する少なくとも２つのビームレットに回折する動的な回折光学素子と、前記位相パターニング光学素子から発する前記ビームレットを前記位相パターニング光学素子と単一のトランスファーレンズとの間の位置で収束させる、前記回折光学素子においてエンコードされた仮想レンズと、前記位相パターニング光学素子から発する前記ビームレットを導いて、ビームスプリッタの表面で重ねる前記単一のトランスファーレンズと、前記単一のトランスファーレンズから発する前記ビームレットを受け取ってビームレットの２つのストリームを作り出し、そしてビームレットの第一のストリームをフォーカスレンズの後ろの開口部に反射し、ビームレットの第二のストリームを光学データストリームを形成するように反射する前記ビームスプリッタと、前記ビームスプリッタから発する各ビームレットを収束させて少なくとも２つの光トラップを形成する前記フォーカスレンズとを備えていることを特徴とする。
【００４９】
本発明の第７の形態によれば、微小粒子を操作するための複数の光トラップを生成するシステムであって、複数の微小粒子と、集光された光ビームを生成する光源と、集光された光ビームと、前記集光された光ビームを受け取って、それを、それぞれが位相プロファイルを有する少なくとも２つのビームレットに回折する位相パターニング光学素子と、前記位相パターニング光学素子から発する各ビームレットを前記位相パターニング光学素子と単一のトランスファーレンズとの間の位置で収束させる、前記位相パターニング光学素子内にエンコードされた仮想レンズと、前記位相パターニング光学素子と、各ビームレットが通過するフォーカスレンズとの間に配置された前記単一のトランスファーレンズであって、各ビームレットは前記フォーカスレンズの後ろの開口部で重ねられるような単一のトランスファーレンズと、それぞれが複数の微小粒子のうちの一つを操作することが可能である少なくとも２つの光トラップを形成するように、前記トランスファーレンズから発する各ビームレットを収束させる前記フォーカスレンズとを備えていることを特徴とする。
【００５０】
前記単一のトランスファーレンズは可動であってもよい。前記光トラップは、前記単一のトランスファーレンズの動きに対応して動いてもよい。前記位相パターニング光学素子は可変光学表面を有していてもよい。前記位相パターニング光学素子は、静的な表面を有していてもよい。前記静的な表面は、前記集光された光ビームを前記静的な表面の選択された領域に合わせるように移動可能であってもよい。前記静的な表面は２つ以上の不連続な、不均質の領域からなってもよい。前記静的な表面は、実質的に連続的に変化していてもよい。
【００５１】
前記位相パターニング光学素子は、格子、回折格子、反射格子、透過格子、ホログラム、ステンシル、光整形ホログラフィックフィルタ、多色ホログラム、レンズ、ミラー、プリズム、波長板およびホログラムからなる群のうちの少なくとも一つから選択されていてもよい。
【００５２】
前記位相パターニング光学素子は動的であってもよい。前記位相パターニング光学素子は、コンピュータで生成された可変回折パターン、可変位相シフト材料、可変液晶位相シフトアレイ、マイクロミラーアレイ、ピストンモードマイクロミラーアレイ、空間光変調器、電子光学偏向器、音響光学変調器、変形可能ミラーおよび反射ＭＥＭＳアレイからなる群のうちの少なくとも一つから選択されていてもよい。
【００５３】
前記位相パターニング光学素子を選択的に変えるためのコンピュータをさらに備えていてもよい。前記複数の微小粒子の少なくともいくつかは、生物学的な材料であってもよい。
【００５４】
前記光源はレーザであり、前記集光された光ビームは、緑のスペクトルの波長を有するレーザビームであってもよい。
前記光源はレーザであり、前記集光された光ビームは、約４００ｎｍから約１０６０ｎｍの範囲から選択される波長を有するレーザビームであってもよい。
【００５５】
前記ビームレットを前記フォーカスレンズの後ろの開口部で重ねる前に、前記位相パターニング光学素子から発する前記ビームレットを一つのグループとして操縦するための可動ミラーをさらに備えていてもよい。
【００５６】
前記単一のレンズから下流で前記フォーカスレンズより前に望遠鏡レンズ系をさらに備えていてもよい。
【００５７】
本発明の第８の形態によれば、光トラップを用いて微小粒子を操作するシステムであって、複数の微小粒子と、集光された光ビームを生成する光源と、集光された光ビームと、前記集光された光ビームを受け取り、それを、それぞれが位相プロファイルを有する少なくとも２つのビームレットに回折する位相パターニング光学素子と、前記位相パターニング光学素子から発する各ビームレットを前記位相パターニング光学素子と単一のトランスファーレンズとの間の位置で収束させる、前記位相パターニング光学素子内にエンコードされた仮想レンズと、前記位相パターニング光学素子から発する前記ビームレットを受け取ってビームレットの２つのストリームを作り出し、ビームレットの第一のストリームをフォーカスレンズの後ろの開口部に重ねるように反射し、ビームレットの第二のストリームを光学データストリームを形成するように反射するビームスプリッタと、前記位相パターニング光学素子と、各ビームレットが通過する前記フォーカスレンズとの間に配置された単一のトランスファーレンズであって、各ビームレットは前記フォーカスレンズの後ろの開口部で重ねられるようなトランスファーレンズと、それぞれが、前記複数の微小粒子のうちの一つを操作することができる少なくとも２つの光トラップと、前記光学データストリームのモニタとを備えていることを特徴とする。
【００５８】
前記単一のトランスファーレンズは可動であってもよい。前記光トラップは、前記単一のトランスファーレンズの動きに対応して動いてもよい。前記位相パターニング光学素子は可変光学表面を有していてもよい。前記位相パターニング光学素子は静的な表面を有していてもよい。前記静的な表面は、前記静的な表面の選択された領域に前記集光された光ビームを選択的に合わせるように動かすことができてもよい。
【００５９】
前記静的な表面は不連続な、不均質の領域からなってもよい。前記静的な表面は実質的に連続的に変化していてもよい。
【００６０】
前記位相パターニング光学素子は、格子、回折格子、反射格子、透過格子、ホログラム、ステンシル、光整形ホログラフィックフィルタ、多色ホログラム、レンズ、ミラー、プリズム、波長板、およびホログラムからなる群のうちの少なくとも一つから選択されてもよい。
前記位相パターニング光学素子は動的であってもよい。
前記位相パターニング光学素子は、コンピュータで生成された可変回折パターン、可変位相シフト材料、可変液晶位相シフトアレイ、マイクロミラーアレイ、ピストンモードマイクロミラーアレイ、空間光変調器、電子光学偏向器、音響光学変調器、変形可能ミラーおよび反射ＭＥＭＳアレイからなる群のうちの少なくとも一つから選択されていてもよい。
前記動的な位相パターニング光学素子を選択的に制御するためのコンピュータをさらに備えていてもよい。
【００６１】
前記複数の微小粒子の少なくともいくつかは、生物学的な材料であってもよい。
前記光源はレーザであり、前記集光された光ビームは緑のスペクトルの波長を有するレーザビームであってもよい。
前記光源はレーザであり、前記集光された光ビームは、約４００ｎｍから約１０６０ｎｍの範囲から選択された波長を有するレーザビームであってもよい。
前記フォーカスレンズの後ろの開口部に前記ビームレットを重ねる前に、前記位相パターニング光学素子から発する前記ビームレットを一つのグループとして操縦するための可動ミラーをさらに備えていてもよい。
【００６２】
前記単一のレンズから下流に、かつ前記フォーカスレンズより前に望遠鏡レンズ系をさらに備えていてもよい。
前記モニタは人間のモニタであってもよい。前記モニタはビデオモニタであってもよい。
前記光学データストリームをデジタルデータストリームに変換する手段をさらに備えていてもよい。前記光学データストリームのスペクトルを生成する分光計をさらに備えていてもよい。
前記光学データストリームをデジタルデータストリームに変換することによってデジタルデータストリームを受け取るコンピュータをさらに備えていてもよい。
前記光学データストリームを受け取ってデジタルデータストリームに処理し、前記光学データストリームにおける情報に基づいて前記光トラップの少なくとも一つの配置を変化させるコンピュータをさらに備えていてもよい。
【００６３】
前記フォーカスレンズの後ろの開口部で前記ビームレットを重ねる前に、可動ミラーに、前記位相パターニング光学素子から発する前記ビームレットを一つのグループとして操縦させるためのコンピュータをさらに備えていてもよい。
前記スペクトルを解析するコンピュータと、前記フォーカスレンズの後ろの開口部で前記ビームレットを重ねる前に、前記可動ミラーに、前記位相パターニング光学素子から発する前記ビームレットを操縦させるためのコンピュータとをさら備えていてもよい。
【００６４】
前記光学データストリームの通路内に配置された偏光フィルタあるいはバンドパスフィルタをさらに備えていてもよい。
前記集光された光ビームがオンであるときには前記光学データストリームを選択的にブロックし、前記集光された光ビームがオフであるときには前記光学データストリームをブロックしないシャッタをさらに備えていてもよい。
前記光学データストリームがモニタされているときには前記集光された光ビームを選択的にブロックするシャッタをさらに備えていてもよい。
【００６５】
集光された光ビームを生成する前記光源はレーザであり、前記集光された光ビームはレーザビームであってもよい。
前記光学データストリームがモニタされているときには前記レーザビームを選択的にブロックする第一のシャッタと、前記レーザビームがオンであるときに前記光学データストリームを選択的にブロックし、前記レーザビームがオフである時に前記光学データストリームをブロックしない第二のシャッタとをさらに備えていてもよい。
【００６６】
本発明の第９の形態によれば、微小粒子をモニタし、操作する光学システムであって、集光されたエネルギーの単一のビームの源と、集光されたエネルギーの単一のビームと、動的な回折光学素子と、前記光学素子に前記単一のビームを導くことによって生成される複数の収束されたビームレットと、フォーカスレンズと、前記収束されたビームレットの光路に配置されており、ビームレットの２つのストリームを作り出して、ビームレットの第一のストリームを前記フォーカスレンズの後ろの開口部で重ねるように反射し、ビームレットの第二のストリームを光学データストリームを形成するように反射するビームスプリッタと、前記光学素子と前記ビームスプリッタとの間に配置された、それらのビームレットを前記ビームスプリッタに導く可動単一レンズと、前記フォーカスレンズを通る前記ビームレットの収束によって形成される少なくとも２つの光トラップと、前記光学データストリームのためのモニタとを備えていることを特徴とする。
【００６７】
前記集光されたエネルギーの単一のビームの源は、固体レーザ、ダイオード励起レーザ、ガスレーザ、色素レーザ、アレキサンドライトレーザ、自由電子レーザ、ＶＣＳＥＬレーザ、ダイオードレーザ、Ｔｉ−サファイアレーザ、ドープＹＡＧレーザ、ドープＹＬＦレーザ、ダイオード励起ＹＡＧレーザ、フラッシュランプ励起ＹＡＧレーザ、発光ダイオードおよび一体化された平行化素子を有する発光ダイオードからなる群から選択されていてもよい。
前記集光された光ビームは電磁波エネルギーであってもよい。前記光トラップは、前記単一レンズの動きに対応して動いてもよい。前記光トラップの配置の変化は、前記光学素子における少なくとも一つの変化によってもたらされてもよい。
【００６８】
各光トラップは、光ピンセット、オプティカルボルテックス、オプティカルボトル、オプティカルローテータ、および光ケージからなる群から選択されてもよい。
【００６９】
本発明の第１０の形態によれば、複数の可動光トラップを形成する方法であって、集光された光ビームを発生し、前記集光された光ビームを位相パターニング光学素子に導いて、前記位相パターニング光学素子から発する複数のビームレットを形成し、各ビームレットは位相プロファイルを有しており、前記位相パターニング光学素子から発する前記ビームレットを前記位相パターニング光学素子で前記位相パターニング光学素子と前記単一のトランスファーレンズとの間の位置で収束させ、前記位相パターニング光学素子から発する前記ビームレットを、可動ミラーによって前記単一のトランスファーレンズを通過させて、フォーカスレンズの後ろの開口部で前記ビームレットを重ね、前記フォーカスレンズから発する前記ビームレットを収束させて複数の光トラップを形成することを特徴とする。
【００７０】
前記方法は、前記ミラーを動かして少なくとも一つの光トラップの配置を変化させることをさらに包含してもよい。
【００７１】
前記光トラップは、光ピンセット、オプティカルボルテックス、オプティカルボトル、オプティカルローテータ、光ケージおよびこれらの組み合わせからなる群から選択されてもよい。前記方法は、前記光トラップで生物学的な材料を操作することをさらに包含してもよい。
【００７２】
【発明を実施するための最良の形態】
【００７３】
【００７４】
以下の明細書では、便宜と言及のためであって、限定のためにではなく、ある用語を用いる。簡単な定義を以下に示す。
【００７５】
Ａ．「ビームレット」とは、レーザから生成される光あるいは発光ダイオードからの平行にされた出力のような光あるいは他のエネルギー源の集光されたビームを、ビームを２つ以上のサブビームに回折する媒体に通すことによって生成される集光された光あるいは他のエネルギー源のサブビームを指す。ビームレットの一例は、格子から回折された高次のレーザビームである。
【００７６】
Ｂ．「位相プロファイル」とは、ビームの断面における光または他のエネルギー源の位相を指す。
【００７７】
Ｃ．「位相パターニング」とは、光、他のエネルギー源あるいはビームレットの集光されたビームに、その位相プロファイルを変えるパターン化された位相シフトを与えることを指し、光、他のエネルギー源あるいはビームレットの集光されたビームの位相変調、モード形成、分割、収束、発散、整形およびそれ以外の操縦（steering）を含むが、これらには限られない。
【００７８】
複数の可動光トラップを形成する発明の装置のさまざまな実施形態を概して８で表し、図１Ａ、１Ｂおよび１Ｃに示す。図１Ａに示す実施形態では、電磁波エネルギーのようなエネルギーの集光されたビームを生成することによって、光トラップの可動アレイが形成される。好ましい実施形態において、電磁波は光波であり、好ましくは約４００ｎｍから約１０６０ｎｍの波長を有しており、より好ましくは緑のスペクトルの波長を有している。このビームは、例えば発光ダイオードからの平行化された出力、あるいは好ましくは図１Ａ〜１Ｅに示されているレーザビーム１０のような平行光から形成されている。
【００７９】
集光された光ビームは、可変光学表面を有する回折光学素子１２のような可変光学表面を有する位相パターニング光学素子を通して光軸５００に沿って導かれて、選択された位相プロファイルを有する複数のビームレット３２および３３（２つを図示している）を生成する。光学素子は、対物レンズ１８のようなフォーカスレンズの後ろの開口部１６の平面１５に共役な平面に実質的に配置されている。回折光学素子の光学表面を変えることで、ビームレットを変える。
【００８０】
回折光学素子１２内には仮想レンズがエンコードされており、この仮想レンズは複数のビームレットをエンコードされた回折光学レンズと単一のトランスファーレンズとの間の位置に収束する。変換された回折光学素子から発したビームレットは収束後、対物レンズ１８のようなフォーカスレンズの後ろの開口部でビームレットを重ねるように、トランスファーレンズを通して導かれる。そしてビームレットはフォーカスレンズによって収束されて、動作焦点領域２０００内に複数の光トラップ１００２および１００４を形成する。動作焦点領域２０００は、光トラップ１００２および１００４によって調査、測定あるいは操作されるべき粒子３０００あるいは他の材料３００２を含む媒体が置かれている領域である。
【００８１】
レーザビーム１０の発生源として、どのような適切なレーザをも用いることができる。有用なレーザには、固体レーザ、ダイオード励起レーザ、ガスレーザ、色素レーザ、アレキサンドライトレーザ、自由電子レーザ、ＶＣＳＥＬレーザ、ダイオードレーザ、Ｔｉ−サファイアレーザ、ドープＹＡＧレーザ、ドープＹＬＦレーザ、ダイオード励起ＹＡＧレーザ、およびフラッシュランプ励起ＹＡＧレーザがある。１０ｍＷと５ｍＷとの間で動作するダイオード励起Ｎｄ：ＹＡＧレーザが好ましい。
【００８２】
集光された光ビーム１０がエンコードされた回折光学素子１２を通して導かれるとき、エンコードされた回折光学素子は、位相プロフェイルが変えられた複数の回折ビームレット３２および３３を生成する。この位相プロファイルの変更は、望まれる光トラップのタイプに応じて、波面整形、位相シフト、操縦（steering）、発散および収束を含み得、光ピンセット、オプティカルボルテックス、オプティカルボトル、オプティカルローテータ、光ケージおよび異なる種類の組み合わせを含む光トラップの異なる種類を形成する。明確にするために、２つの回折されたビームレットと２つの対応する光ピンセット１００２および１００４のみが示されているが、このようなビームレットのアレイがエンコードされた回折光学素子によって作り出されることは理解できるであろう。
各トラップの配置は、エンコードされた回折光学素子によって選択的に制御される。各トラップの動きが、固定された位置における回転、固定されていない位置における回転、二次元と三次元、ならびに連続的と段階的は選択的に制御可能であるということが本発明の重要な特徴である。制御は、ビームが通過する回折光学素子の表面を変えることによって実現され、それにより、エンコードされた回折光学素子から発するビームレットの収束位置を変更する。
【００８３】
適した回折光学素子は、どのように集光された光ビームを導くかに応じて、透過性または反射性に特徴付けられる。透過性回折光学素子は、図１Ａおよび１Ｂに示すように、光ビームを集光するのに対して、反射性回折光学素子は、図１Ｃに示すように、ビームを反射する。
【００８４】
２つの大まかなグループ内で、回折光学素子は、静的な媒体から形成されているか、動的な媒体から形成されているかに区別される。適した静的な回折光学素子の例は、格子のような固定表面を有する回折光学素子を含む。この格子には、回折格子、反射格子、透過格子、ホログラム、ステンシル、光整形ホログラフィックフィルタ、多色ホログラム、レンズ、ミラー、プリズム、波長板等が含まれる。
【００８５】
静的な回折光学素子は、それぞれの領域がビームレットに対して異なる位相プロファイルを与えるように構成された異なる領域を有していてもよい。このような実施形態においては、静的な回折光学素子の表面は、その表面をレーザビーム１０に対して動かして、ビームレットに与えられる所望の特性を変えるように、すなわち得られるビームレットのうちの少なくとも一つの所望の位相プロファイルを変えるように適切な領域を選択することによって変えられ得る。いくつかの実施形態においては、静的な表面は２つ以上の不連続な、不均質の領域を含んでいる。他の実施形態においては、静的な表面は実質的に連続的に変化している。
【００８６】
機能に対して時間依存性の側面を有している適した動的な回折光学素子の例は、コンピュータによって生成される可変の回折パターン、可変の位相シフト材料、可変の液晶位相シフトアレイ、マイクロミラーアレイ、ピストンモードマイクロミラーアレイ、空間光変調器、電気光学偏向器、音響光学変調器、変形可能なミラー、反射ＭＥＭＳアレイ等を含む。動的な回折光学素子があれば、エンコードされた表面の特徴は、例えばコンピュータによって、ビームレットの数、ビームレットの少なくとも一つの位相プロファイル、およびビームレットの少なくとも一つの配置を変えるように変更可能である。
【００８７】
回折光学素子上でエンコードされた仮想レンズは、光学素子に入射する光の位相を変更する。代表的な仮想レンズは、例えば、反射性格子あるいはネマティック液晶の配向においてエンコードされたフレネルレンズに類似したパターンである。仮想レンズは、物理的なレンズと区別可能であり、これは各ビームレット３２、３３の相対位置を独立して変更することができる仮想の素子として、ビームレット３２および３３の全てに全体として影響を及ぼす。
【００８８】
また回折光学素子は、レーザ光に特定の位相モード（トポロジカルモード）を与えるのにも役立つ。したがって、一つのビームレット３２はガウス・ラゲールのモードで形成され、他のビームレット３３はガウスのモードで形成されるということがあり得る。
【００８９】
好ましい仮想レンズにエンコードされた回折光学素子は、日本のハママツによって製造された「PAL-SLMシリーズX7665」あるいはコロラド州ラファイエットのボルダ−ノンリニアシステムズによって製造された「SLM 512SA7」のような位相だけの空間光変調器を含む。これらのエンコードされた回折光学素子はコンピュータで制御可能であり、多機能である。したがって、これらの回折光学素子は、レーザビーム１０を回折して、得られたビームレットに所望の特性を選択的に与えることによって、ビームレット３２および３３を生成することができる。
【００９０】
回折されたビームレットのそれぞれは、エンコードされた回折光学素子の前面１３上の領域Ａから発している。またそれぞれは後ろの開口部１６上の領域Ｂも通らなければならない。それによってビームレットは対物レンズ１８の後ろの開口部１６で重なっている。図１に示す実施形態においては、仮想レンズにエンコードされた回折光学素子と単一の可動の下流にある光学レンズＬ１とを組み合わせることによって、ほぼ正確な重なりが効率的に達成される。
【００９１】
レーザビーム１０は、好ましくは、後ろの開口部１６の直径に一致するビーム径ｗを有しており、対物レンズ１８の後ろの開口部１６はいっぱいになることがほとんど、あるいは全くなく、これがレーザビーム１０の強度を節約するだけではなく、動作焦点領域２０００内で所望のパターンの実効的な光トラップ１００２および１００４を作り出す電界勾配の強度を維持するということが発明のシステムの利点である。
【００９２】
数学的な観点から述べる。光トラップを形成するのに十分な勾配力を確立するための実効ＮＡが０．８であり、かつ実効ＮＡが式ＮＡ＝ｎ＊ｓｉｎφ／２であるとする。ここでｎは対物レンズの外側の媒体の屈折率を表し、φは回折されたビームの収束角度である。屈折率が１．５の油浸対物レンズを用いたとすれば、０．８の実効ＮＡを維持するためには、φは、三次元で粒子を操作するのに効果的な光トラップを形成し維持するために光トラップの動きの間少なくとも６６度に維持されなければならない。
【００９３】
あるいは、レーザビーム１０に対して大きすぎる後ろの開口部を有する大きすぎるフォーカスレンズを使用すれば、後ろの開口部１６を満たすことなく効果的な光トラップを形成することができる。しかしながら、このようなレンズはより大きな物理的なスペースを必要とするであろうし、コストが高くなるかもしれない。
【００９４】
図１Ｂに示されている代わりの実施形態に目を向けると、光トラップの制御可能なアレイが、レーザビーム１０を、光軸５００に対して鋭角βをなす面１４'に実質的に配置されている仮想レンズを有してエンコードされた回折光学素子１２を通過させることによって形成されている。この実施形態では、エンコードされた回折光学素子の前面上の領域Ａから発したビームレット３２および３３は、回折光学素子によって導かれて、対物レンズ１８の後ろの開口部１６を通過し、動作焦点領域２０００内に光トラップ１００２および１００４を形成する。光軸５００に対するレーザビーム１０の位置を変更することによって、非回折光３４の一部が除かれて、これが非回折光３４によって生じる雑音を減少させ、それにより光トラップ１００２および１００４を形成する効率および実効性を高める。さらに、図１Ａおよび１Ｃに示すように光軸に沿ってレーザビームが導かれるときにレーザビームの非回折部分を形成する可能性がある非可動の光トラップ（図示せず）は、なくされる。
【００９５】
図１Ｃは、エンコードされた仮想レンズを有する回折光学素子１２"からレーザビーム１０を反射することによって光トラップの制御可能なアレイが形成されている代わりの実施形態を示している。
【００９６】
図１Ｄおよび１Ｅは、位相パターニング光学素子から発したビームレットを、フォーカスレンズの後ろの開口部でビームレットを重ねる前に一つのグループとして操縦する可動ミラー４１を有する代わりの実施形態を示している。可動ミラー４１は、その回転の中心が領域ＣにあるようにトランスファーレンズＬ１の上流に配置されている。代表的なビームレット３２は、エンコードされた回折光学素子１２の前面１３上の領域ＡからトランスファーレンズＬ１を通り抜けて領域Ｃに達し、領域Ｃはビームレットを後ろの開口部１６の領域Ｂに反射する。可動ミラー４１を傾けることは、ミラー４１に対するビームレット３２の入射角を変化させる効果があり、光トラップ１００２および１００４のアレイを平行移動させるのに用いられ得る。
【００９７】
この可動ミラーは、小さい振幅の速く振動する変位の間中、光トラップを動的に強化するように静止した基板内で光トラップアレイを正確に並べることと、光トラップにパルスを与えて同じ数のビームレットから光トラップの２つ以上の交互のセットを形成しつつ、光トラップのアレイの位置を正確に変更することによってトラップ活動を効果的に増やすこととの両方に有用である。
【００９８】
図１Ｄに示す実施形態は、従来の望遠鏡システム４２を可動ミラー４１と対物レンズ１８との間に含むことによってビームレットのずれを最小にする。望遠鏡システムは、共役面４３および４５の間に置かれた２つのレンズＬ２およびＬ３から構成されている、ビームレットはエンコードされた回折光学素子１２の前面１３の領域Ａから面４３内の領域Ｃのビームスプリッタ５１の回転中心へ達し、そして面４４内の対物レンズ１８の後ろの開口部１６上の領域Ｂを通る。図１Ｅに示す実施形態では、可動ミラー４１は、ビームレットのずれを最小にするために、後ろの開口部１６の非常に近接して置かれている。
【００９９】
図２および３に示す発明の実施形態を用いると、動作焦点領域２００内の微小粒子３０００と相互に作用している光トラップ１００２および１００４の光学データストリームをリアルタイムで観察することが可能である。光トラップ１００２および１００４の可動アレイは、単一のレンズトランスファー光学素子Ｌ１を用いて形成される。明瞭にするために一つのビームレット３２だけが図示されているが、光学素子１２によってこのようなビームレットが複数作り出されることを理解されたい。
光トラップのアレイを生成するために、レーザビーム１０は回折光学素子１２を通過して、エンコードされた回折光学素子１２の前面１３上の領域Ａから発し、その後領域Ｃへと達するビームレット３２を生成する。領域Ｃは対物レンズ１８の前にあるビームスプリッタ５１の表面上の中心の領域である。ビームスプリッタ５１は、静的あるいは可動のダイクロイックミラー、静的あるいは可動の光バンドギャップミラー、静的あるいは可動の全方向性ミラー、または他の同様な装置から構成される。図２に示されているビームスプリッタは可動であり、それゆえに、可動ミラーとビームスプリッタとの二つの機能を果たす。図３に示す代わりの実施形態においては、ビームスプリッタ５１は固定されている。
【０１００】
ビームスプリッタ５１は、光トラップを形成するのに用いられる光の波長を選択的に反射し、他の波長を透過させてビームレットの２つのストリームを形成する。したがって、図２および３に示されるように、ビームレットの第一のストリームは領域Ｃから対物レンズ１８の後ろの開口部１６の領域Ｂを通って進み、それにより全てのビームレットを後ろの開口部で効果的に重ねて光トラップ１００２および１００４を形成する。ビームレットの第二のストリームはビームスプリッタ５１によってモニタの方に反射されて、結像照明源（図示せず）の助けを借りて、リアルタイムで光学データストリームを提供するのに用いられる。ビームレットの第二のストリームは装置８を通過し、人間のモニタ６５によって目視６４ａされる。モニタ６５はコンピュータ６６とのインタフェースであってもよく、ビームレット３２の一つあるいはすべての位置を変更するようにシステムのパラメータをコンピュータに変更させる。
【０１０１】
あるいは、光学データストリームのスペクトル６４ｂを得て、解析することができ、かつ／または光学データストリームをビデオ信号に変換してビデオモニタ６４ｃでモニタすることができる。いくつかの実施形態においては、光学データストリームは分光計を通され、そして少なくとも一つのビームレットの収束位置がスペクトルの解析あるいはビデオによるモニタリングに応じて、対応する光トラップの配置を変化させるように変更され得る。
【０１０２】
生物学的な材料の試料の分光法６４ｂは、非弾性分光法あるいは偏光の後方散乱に適した結像証明とともに実現される。前者は化学的な構造を調べるのに有用であり、後者は核のサイズを測定するのに適している。コンピュータ６６はデータを解析して疑わしいガン性、前ガン性、および／あるいは非ガン性の細胞を同定し、光学アレイに選択された細胞タイプの試料を分離して濃縮させる。当業者は、ガン性の細胞に特有のパラメータに基づいて細胞を濃縮するために用いられる手順は、他のパラメータに基づいて他のタイプの細胞を同定および／あるいは濃縮するように発明の範囲から逸脱することなく変更され得ることを理解するであろう。生物学的材料を操作するのに有用である光トラップを構成するために用いられるレーザビーム１０の波長は、約４００ｎｍから約１０６０ｎｍの赤外、近赤外、および可視の波長を含む。
【０１０３】
さらに他の実施形態では、光学データストリームを記録し、解析し、そして／あるいは回折光学素子１３を介してビームレット３２の一つあるいはすべての位置、単一のトランスファーレンズＬ１の位置、および／または可動ビームスプリッタ５１の位置を正確に調整するように適応されたコンピュータ６６が光学データストリームを受け取ってもよい。あるいは、光学データストリームは、強度をモニタするための光検出器、あるいは光学データストリームをコンピュータ６６によって使用するために適用されたデジタルデータストリームに変換するいかなる適した装置によって処理されてもよい。
【０１０４】
リアルタイムの光学データストリームは、雑音が制御されていれば、より有用な情報を提供する。図２に示すように、偏光素子あるいはバンドパス素子のようなフィルタ素子５３を、光学データストリームの軸に沿って進む反射、散乱あるいは非回折レーザ光１０の量を減らすように、光学データストリームの通り道内に置く。このフィルタ素子５３は、１つ以上の予め選択された波長を除去し、いくつかの実施形態においては光学データストリームのある予め選択された波長を除く全てを除去する。
【０１０５】
光学データストリームにおける雑音を制限する他の方法は、光学データストリームをシャッタで遮る、あるいは光学データストリームにパルスを与えることである。図３は、制御可能なシャッタ６２および６３のシステムを示している。シャッタの一つの利点は、光学データストリームから雑音または干渉の実質的に全てをなくすことである。シャッタ６２は、開く動作をレーザビーム１０のオン・オフと協働させることによって、光学データストリームをシステムから自由に通過させることを選択的にブロックしたり、ブロックしなかったりする。レーザビームが発生されていないときには光学データストリームはブロックされ、集光された光ビームが発生されているときには光学データストリームはブロックされない。レーザビーム１０がシャッタでふさいだりしているとき（これがビームレット３２およびそれから得られる光トラップ１００２を「オン」および「オフ」の切り替えを引き起こす）に光トラップ内の微小粒子（図示せず）の制御を維持するために、シャッタのパルスレートは操作されている粒子の性質に応じて調整される。しかしながら、あまりにもゆっくりしたパルスレートは、補足されている粒子が漂うのを許してしまう。粒子が漂うことが望ましいような状況に関しては、パルスレートは、漂うように仕向けるように調整されてもよい。
【０１０６】
あるいは、シャッタ６２は、レーザビーム（図示せず）あるいはビームレットが対物レンズへと自由に通過することを妨げる。シャッタ６３の開いたり閉じたりを光学データストリームのモニタリングの「オン」および「オフ」と協働させることによって、雑音は減少する。いくつかの例においては、シャッタを二重に用いることが望ましい。シャッタを二重に用いることの一つの利点は、レーザビーム１０とモニタリング機器の両方とを常時「オン」にしたままにできることである。このような構成においては、シャッタ６２および６３の活動のみを協働させる必要がある。コンピュータ６６は、シャッタ６２および６３を選択的に制御するために用いられてもよい。
【０１０７】
図４に、光学データストリームを提供するように可動ミラー４１およびビームスプリッタ５１と組み合わせられた単一のトランスファーレンズＬ１の後にシステム内に配置された伝統的な望遠鏡のトランスファーレンズシステム４２を使用することが、機器の入手可能性、物理的なスペースの制限あるいは他の性能のパラメータに恩恵をもたらすような場合に有用である実施形態を示す。
【０１０８】
装置８は、複数の微小粒子を操作するためのシステムの一部として有用である。この装置に加えて、システムは、集光された光ビームを生成するための光源（図示せず）、集光された光ビーム１０、および光トラップ１００２および１００４によって操作される複数の微小粒子３０００を含んでいる。
【０１０９】
発明によると、複数の光トラップが作り出される。いくつかの実施形態では、光トラップは、生物学的な材料を操作するのに必要な勾配の状態を形成する。
【０１１０】
ここで関係する発明の範囲から逸脱することなく上記装置に変更を行い得るので、上記説明に含まれ、付随する図面、明細書およびクレームに示されている全ての事項は例示的なものであると解されるべきであり、限定的な意味ではない。
【図面の簡単な説明】
【０１１１】
【図１】図１Ａは微小粒子のアレイを操作するシステムを示し、図１Ｂは微小粒子のアレイを操作する第一の代わりのシステムを示し、図１Ｃは、反射回折光学素子を有する、微小粒子のアレイを操作する第二の代わりのシステムを示し、図１Ｄは、可動ミラーを有する、微小粒子アレイを操作する第三の代わりのシステムを示し、図１Ｅは、可動ミラーを有する、微小粒子のアレイを操作する第四の代わりのシステムを示している。
【図２】図２は、リアルタイムでの雑音のない観察用に適応された、微小粒子のアレイを操作する第五の代わりのシステムを示している。
【図３】図３は、リアルタイムでの雑音のない観察用に適応された、微小粒子のアレイを操作する第六の代わりのシステムを示している。
【図４】図４は、リアルタイムでの観察用に適応された、微小粒子のアレイを操作する第七の代わりのシステムを示している。